(57)【要約】      （修正有）【課題】破損しにくく、長期間安定して使用することができる構造のキースイッチ装置を提供する。【解決手段】支持板１０の上に設置される２つのリンク部材４０及びフレーム部材６０と、前記２つのリンク部材４０の上に設置されるキートップ７０とを有し、リンク部材４０には、一方の腕部４１、他方の腕部４２、連結部４３、回転軸部５１、摺動軸部、連結溝部５３、連結軸部５４が設けられており、回転軸部５１は、フレーム部材６０により回転可能な状態で設置され、摺動軸部は、キートップ７０の裏面に設けられた案内溝に入れられ、キートップ７０の表面を押した際には、摺動軸部が、キートップ７０の裏面に設けられた案内溝内を移動するとともに、片方のリンク部材４０の一方の腕部４１の連結軸部５４が他方のリンク部材４０の他方の腕部４２の連結溝部５３内を移動する。【選択図】図１
2015079676.tif 000002
【特許請求の範囲】
【請求項１】
支持板と、
前記支持板の上に設置される２つのリンク部材及びフレーム部材と、
前記２つのリンク部材の上に設置されるキートップと、
を有し、
前記リンク部材は、一方の腕部、他方の腕部、前記一方の腕部と前記他方の腕部とを接続する連結部を有し、
前記一方の腕部における一方の端部及び前記他方の腕部における一方の端部には、各々回転軸部が設けられており、
前記一方の腕部における他方の端部と前記他方の腕部における他方の端部とは、前記連結部により接続されており、
前記連結部の両端には、各々摺動軸部が設けられており、
前記リンク部材における前記一方の腕部には、連結溝部が設けられており、前記他方の腕部には、連結軸部が設けられており、
前記２つのリンク部材を設置した状態においては、前記２つのリンク部材における一方のリンク部材の連結溝部に、前記他方のリンク部材の連結軸部が入っており、前記連結軸部は前記連結溝部内を移動することができるものであって、
前記回転軸部は、前記フレーム部材により回転可能な状態で設置されており、
前記摺動軸部は、前記キートップの裏面に設けられた案内溝に入れられており、
前記キートップの表面を押した際には、前記摺動軸部は、前記案内溝内を移動するとともに、前記連結軸部が連結溝部内を移動するものであることを特徴とするキースイッチ装置。
【請求項２】
支持板と、
前記支持板の上に設置される２つのリンク部材及びフレーム部材と、
前記２つのリンク部材の上に設置されるキートップと、
を有し、
前記リンク部材は、一方の腕部、他方の腕部、前記一方の腕部と前記他方の腕部とを接続する連結部を有し、
前記一方の腕部における一方の端部及び前記他方の腕部における一方の端部には、各々回転軸部が設けられており、
前記一方の腕部における他方の端部と前記他方の腕部における他方の端部とは、前記連結部により接続されており、
前記連結部の両端には、各々摺動軸部が設けられており、
前記リンク部材における前記一方の腕部には、連結溝部が設けられており、前記他方の腕部には、連結軸部が設けられており、
前記２つのリンク部材を設置した状態においては、前記２つのリンク部材における一方のリンク部材の連結溝部に、前記他方のリンク部材の連結軸部が入っており、前記連結軸部は前記連結溝部内を移動することができるものであって、
前記回転軸部は、前記キートップの裏面において回転可能な状態で設置されており、
前記摺動軸部は、前記フレーム部材に設けられた案内溝に入れられており、
前記キートップの表面を押した際には、前記摺動軸部は、前記案内溝内を移動するとともに、前記連結軸部が連結溝部内を移動するものであることを特徴とするキースイッチ装置。
【請求項３】
前記支持板と前記２つのリンク部材及び前記フレーム部材との間には、接点部を有するメンブレンスイッチが設けられており、
前記メンブレンスイッチには貫通孔が設けられており、
前記メンブレンスイッチの前記貫通孔において、前記支持板と前記フレーム部材とが接続されていることを特徴とする請求項１または２に記載のキースイッチ装置。
【請求項４】
支持板と、
前記支持板の上に設置される第１のリンク部材、第２のリンク部材及びフレーム部材と、
前記第１のリンク部材及び第２のリンク部材の上に設置されるキートップと、
を有し、
前記第１のリンク部材は、一方の腕部、他方の腕部、前記一方の腕部と前記他方の腕部とを接続する連結部を有し、
前記第２のリンク部材は、一方の腕部、他方の腕部、前記一方の腕部と前記他方の腕部とを接続する連結部を有し、
前記一方の腕部における一方の端部及び前記他方の腕部における一方の端部には、各々回転軸部が設けられており、
前記一方の腕部における他方の端部と前記他方の腕部における他方の端部とは、前記連結部により接続されており、
前記連結部の両端には、各々摺動軸部が設けられており、
前記第１のリンク部材における前記一方の腕部及び前記他方の腕部には、連結軸部が設けられており、
前記第２のリンク部材における前記一方の腕部及び前記他方の腕部には、連結溝部が設けられており、
前記第１のリンク部材と前記第２のリンク部材とを設置した状態においては、前記第１のリンク部材における前記連結軸部が、前記第２のリンク部材における前記連結溝部が入っており、前記連結軸部は前記連結溝部内を移動することができるものであって、
前記回転軸部は、前記フレーム部材により回転可能な状態で設置されており、
前記摺動軸部は、前記キートップの裏面に設けられた案内溝に入れられており、
前記キートップの表面を押した際には、前記摺動軸部は、前記案内溝内を移動するとともに、前記連結軸部が連結溝部内を移動するものであることを特徴とするキースイッチ装置。
【請求項５】
支持板と、
前記支持板の上に設置される第１のリンク部材、第２のリンク部材及びフレーム部材と、
前記第１のリンク部材及び第２のリンク部材の上に設置されるキートップと、
を有し、
前記第１のリンク部材は、一方の腕部、他方の腕部、前記一方の腕部と前記他方の腕部とを接続する連結部を有し、
前記第２のリンク部材は、一方の腕部、他方の腕部、前記一方の腕部と前記他方の腕部とを接続する連結部を有し、
前記一方の腕部における一方の端部及び前記他方の腕部における一方の端部には、各々回転軸部が設けられており、
前記一方の腕部における他方の端部と前記他方の腕部における他方の端部とは、前記連結部により接続されており、
前記連結部の両端には、各々摺動軸部が設けられており、
前記第１のリンク部材における前記一方の腕部及び前記他方の腕部には、連結軸部が設けられており、
前記第２のリンク部材における前記一方の腕部及び前記他方の腕部には、連結溝部が設けられており、
前記第１のリンク部材と前記第２のリンク部材とを設置した状態においては、前記第１のリンク部材における前記連結軸部が、前記第２のリンク部材における前記連結溝部が入っており、前記連結軸部は前記連結溝部内を移動することができるものであって、
前記回転軸部は、前記キートップの裏面において回転可能な状態で設置されており、
前記摺動軸部は、前記フレーム部材に設けられた案内溝に入れられており、
前記キートップの表面を押した際には、前記摺動軸部は、前記案内溝内を移動するとともに、前記連結軸部が連結溝部内を移動するものであることを特徴とするキースイッチ装置。
【請求項６】
前記支持板と前記第１のリンク部材、第２のリンク部材及び前記フレーム部材との間には、接点部を有するメンブレンスイッチが設けられており、
前記メンブレンスイッチには貫通孔が設けられており、
前記メンブレンスイッチの前記貫通孔において、前記支持板と前記フレーム部材とが接続されていることを特徴とする請求項４または５に記載のキースイッチ装置。
【請求項７】
前記フレーム部材には、前記接点部の上方に位置する部分に貫通孔が設けられており、
前記貫通孔内において、前記メンブレンスイッチと前記キートップとの間には、弾性材料により形成されたアクチュエータが設置されていることを特徴とする請求項３または６に記載のキースイッチ装置。
【発明の詳細な説明】
【技術分野】
【０００１】
本発明は、キースイッチ装置に関する。
【背景技術】
【０００２】
一般的に、ノート型またはディスクトップ型のパーソナルコンピュータにおいては、情報入力装置としてキーボードが備わっている。キーボードには、入力される文字等に対応して複数のキースイッチが設けられており、入力したい文字等に対応したキースイッチを押すことにより、所定の情報を入力することができる。このようなキースイッチにおいては、小型であることや操作しやすいこと、また、信頼性が高いこと等が求められている。
【先行技術文献】
【特許文献】
【０００３】
【特許文献１】特開２００１−１６７６５８号公報
【特許文献２】特開２００２−２６０４８３号公報
【発明の概要】
【発明が解決しようとする課題】
【０００４】
ところで、一般的なキースイッチは、キートップの下に２つのリンク部材が設けられており、各々のリンク部材にはギアが形成されており、各々のリンク部材におけるギア同士が噛み合っている。キースイッチにおいては、キートップを指等により押した場合には、ギア同士が噛み合っている２つのリンク部材が動作するが、各々のギア同士が噛み合っている状態においてリンク部材が動くため、ギアに力が集中しギア部分が破損等しやすい。このように、ギア部分が破損等すると、キーボードとして使用することができない。また、キートップを押した際に、キートップを押す過程において、２つのリンク部材における噛み合っているギアの位置が変化するため、キートップを押すために必要な力が変動し、キースイッチにおける操作を円滑に行なうことができない場合がある。
【０００５】
このため、破損しにくく、長期間安定して使用することができる構造のキースイッチ装置が求められている。
【課題を解決するための手段】
【０００６】
本実施の形態の一観点によれば、支持板と、前記支持板の上に設置される２つのリンク部材及びフレーム部材と、前記２つのリンク部材の上に設置されるキートップと、を有し、前記リンク部材は、一方の腕部、他方の腕部、前記一方の腕部と前記他方の腕部とを接続する連結部を有し、前記一方の腕部における一方の端部及び前記他方の腕部における一方の端部には、各々回転軸部が設けられており、前記一方の腕部における他方の端部と前記他方の腕部における他方の端部とは、前記連結部により接続されており、前記連結部の両端には、各々摺動軸部が設けられており、前記リンク部材における前記一方の腕部には、連結溝部が設けられており、前記他方の腕部には、連結軸部が設けられており、前記２つのリンク部材を設置した状態においては、前記２つのリンク部材における一方のリンク部材の連結溝部に、前記他方のリンク部材の連結軸部が入っており、前記連結軸部は前記連結溝部内を移動することができるものであって、前記回転軸部は、前記フレーム部材により回転可能な状態で設置されており、前記摺動軸部は、前記キートップの裏面に設けられた案内溝に入れられており、前記キートップの表面を押した際には、前記摺動軸部は、前記案内溝内を移動するとともに、前記連結軸部が連結溝部内を移動するものであることを特徴とする。
【０００７】
また、本実施の形態の他の一観点によれば、支持板と、前記支持板の上に設置される２つのリンク部材及びフレーム部材と、前記２つのリンク部材の上に設置されるキートップと、を有し、前記リンク部材は、一方の腕部、他方の腕部、前記一方の腕部と前記他方の腕部とを接続する連結部を有し、前記一方の腕部における一方の端部及び前記他方の腕部における一方の端部には、各々回転軸部が設けられており、前記一方の腕部における他方の端部と前記他方の腕部における他方の端部とは、前記連結部により接続されており、前記連結部の両端には、各々摺動軸部が設けられており、前記リンク部材における前記一方の腕部には、連結溝部が設けられており、前記他方の腕部には、連結軸部が設けられており、前記２つのリンク部材を設置した状態においては、前記２つのリンク部材における一方のリンク部材の連結溝部に、前記他方のリンク部材の連結軸部が入っており、前記連結軸部は前記連結溝部内を移動することができるものであって、前記回転軸部は、前記キートップの裏面において回転可能な状態で設置されており、前記摺動軸部は、前記フレーム部材に設けられた案内溝に入れられており、前記キートップの表面を押した際には、前記摺動軸部は、前記案内溝内を移動するとともに、前記連結軸部が連結溝部内を移動するものであることを特徴とする。
【０００８】
また、本実施の形態の他の一観点によれば、支持板と、前記支持板の上に設置される第１のリンク部材、第２のリンク部材及びフレーム部材と、前記第１のリンク部材及び第２のリンク部材の上に設置されるキートップと、を有し、前記第１のリンク部材は、一方の腕部、他方の腕部、前記一方の腕部と前記他方の腕部とを接続する連結部を有し、前記第２のリンク部材は、一方の腕部、他方の腕部、前記一方の腕部と前記他方の腕部とを接続する連結部を有し、前記一方の腕部における一方の端部及び前記他方の腕部における一方の端部には、各々回転軸部が設けられており、前記一方の腕部における他方の端部と前記他方の腕部における他方の端部とは、前記連結部により接続されており、前記連結部の両端には、各々摺動軸部が設けられており、前記第１のリンク部材における前記一方の腕部及び前記他方の腕部には、連結軸部が設けられており、前記第２のリンク部材における前記一方の腕部及び前記他方の腕部には、連結溝部が設けられており、前記第１のリンク部材と前記第２のリンク部材とを設置した状態においては、前記第１のリンク部材における前記連結軸部が、前記第２のリンク部材における前記連結溝部が入っており、前記連結軸部は前記連結溝部内を移動することができるものであって、前記回転軸部は、前記フレーム部材により回転可能な状態で設置されており、前記摺動軸部は、前記キートップの裏面に設けられた案内溝に入れられており、前記キートップの表面を押した際には、前記摺動軸部は、前記案内溝内を移動するとともに、前記連結軸部が連結溝部内を移動するものであることを特徴とする。
【０００９】
また、本実施の形態の他の一観点によれば、支持板と、前記支持板の上に設置される第１のリンク部材、第２のリンク部材及びフレーム部材と、前記第１のリンク部材及び第２のリンク部材の上に設置されるキートップと、を有し、前記第１のリンク部材は、一方の腕部、他方の腕部、前記一方の腕部と前記他方の腕部とを接続する連結部を有し、前記第２のリンク部材は、一方の腕部、他方の腕部、前記一方の腕部と前記他方の腕部とを接続する連結部を有し、前記一方の腕部における一方の端部及び前記他方の腕部における一方の端部には、各々回転軸部が設けられており、前記一方の腕部における他方の端部と前記他方の腕部における他方の端部とは、前記連結部により接続されており、前記連結部の両端には、各々摺動軸部が設けられており、前記第１のリンク部材における前記一方の腕部及び前記他方の腕部には、連結軸部が設けられており、前記第２のリンク部材における前記一方の腕部及び前記他方の腕部には、連結溝部が設けられており、前記第１のリンク部材と前記第２のリンク部材とを設置した状態においては、前記第１のリンク部材における前記連結軸部が、前記第２のリンク部材における前記連結溝部が入っており、前記連結軸部は前記連結溝部内を移動することができるものであって、前記回転軸部は、前記キートップの裏面において回転可能な状態で設置されており、前記摺動軸部は、前記フレーム部材に設けられた案内溝に入れられており、前記キートップの表面を押した際には、前記摺動軸部は、前記案内溝内を移動するとともに、前記連結軸部が連結溝部内を移動するものであることを特徴とする。
【発明の効果】
【００１０】
本発明によれば、破損しにくく、長期間安定して使用することができる構造のキースイッチ装置を提供することができる。
【図面の簡単な説明】
【００１１】
【図１】第１の実施の形態におけるキースイッチ装置の分解斜視図
【図２】第１の実施の形態におけるキースイッチ装置のリンク部材の斜視図
【図３】第１の実施の形態におけるキースイッチ装置のフレーム部材の斜視図
【図４】第１の実施の形態におけるキースイッチ装置のキートップの斜視図
【図５】第１の実施の形態におけるキースイッチ装置の組立途中の斜視図
【図６】第１の実施の形態におけるキースイッチ装置の組立途中の上面図
【図７】第１の実施の形態におけるキースイッチ装置の斜視図
【図８】第１の実施の形態におけるキースイッチ装置の断面図（１）
【図９】第１の実施の形態におけるキースイッチ装置の断面図（２）
【図１０】第２の実施の形態におけるキースイッチ装置の分解斜視図
【図１１】第２の実施の形態におけるキースイッチ装置のリンク部材の斜視図
【図１２】第２の実施の形態におけるキースイッチ装置のフレーム部材の斜視図
【図１３】第２の実施の形態におけるキースイッチ装置のキートップの斜視図
【図１４】第２の実施の形態におけるキースイッチ装置の組立途中の斜視図
【図１５】第２の実施の形態におけるキースイッチ装置の斜視図
【図１６】第２の実施の形態におけるキースイッチ装置の断面図
【図１７】第３の実施の形態におけるキースイッチ装置の分解斜視図
【図１８】第３の実施の形態におけるキースイッチ装置の第１のリンク部材の斜視図
【図１９】第３の実施の形態におけるキースイッチ装置の第２のリンク部材の斜視図
【図２０】第３の実施の形態におけるキースイッチ装置の組立途中の斜視図
【図２１】第３の実施の形態におけるキースイッチ装置の組立途中の上面図
【発明を実施するための形態】
【００１２】
本発明を実施するための形態について、以下に説明する。尚、同じ部材等については、同一の符号を付して説明を省略する。
【００１３】
〔第１の実施の形態〕
第１の実施の形態におけるキースイッチ装置について説明する。図１に示されるように、本実施の形態におけるキースイッチ装置は、支持板１０の上に、メンブレンスイッチ２０が設けられており、メンブレンスイッチ２０の上には、ラバーアクチュエータ３０及び２つのリンク部材４０、フレーム部材６０が設置されている。また、２つのリンク部材４０の上には、キートップ７０が設置されている。
【００１４】
支持板１０には、フレーム部材６０と接続するための開口部１１が４つ設けられている。メンブレンスイッチ２０は、通常は開いた状態にあるが、押されることにより閉じる。メンブレンスイッチ２０には、フレーム部材６０と支持板１０と接続するための貫通孔２１が２ヶ所に設けられている。ラバーアクチュエータ３０は、ゴム等の弾性材料により形成されており、指等によりキートップ７０が押された後、キートップ７０より指等が離れると、復元力により、キートップ７０を押される前の元の位置まで戻すことができる。
【００１５】
図２に示すように、リンク部材４０はコの字状に形成されており、２つの腕部４１、４２が、連結部４３により接続されている構造のものである。尚、図２（ａ）、（ｂ）、（ｃ）は、リンク部材４０を異なる角度から見た斜視図であり、図２（ａ）及び（ｂ）は、リンク部材４０を上面側から見た斜視図であり、図２（ｃ）は、裏面側から見た斜視図である。
【００１６】
一方の腕部４１の一方の端部及び他方の腕部４２の一方の端部には、内側に突き出た回転軸部５１が各々設けられており、一方の腕部４１の他方の端部と他方の腕部４２の他方の端部は、連結部４３により接続されている。連結部４３の両側の端部、即ち、一方の腕部４１及び他方の腕部４２が接続されている部分の近傍においては、外側に突き出た摺動軸部５２が各々設けられている。
【００１７】
また、一方の腕部４１の中程には、長細い形状により形成されている連結溝部５３が設けられており、他方の腕部４２の中程には、外側に突き出た連結軸部５４が設けられている。また、他方の腕部４２には、一部が凹んでおり、凹部５５が形成されている。
【００１８】
図３に示すように、フレーム部材６０は、中央部分に貫通孔６１が設けられており、この貫通孔６１に、ラバーアクチュエータ３０の一部が入り込むことができるように形成されている。また、フレーム部材６０には、支持板１０と接続される下側において、４隅に支持板１０に接続するための突起部６２が設けられており、更に、フレーム部材６０の下側には、凹状に形成された軸受部６３が４つ設けられている。
【００１９】
図４に示されるように、キートップ７０には、指等が接触する表面とは反対の裏面に、４つの案内部７１が設けられており、各々の案内部７１には、キートップ７０の表面に平行に延びる案内溝７２が設けられている。案内溝７２は外側に向かって開いている。また、キートップ７０の裏面には、裏面に出っ張った突起部７３が４ヶ所に設けられている。尚、キートップ７０の裏面に設けられた突起部７３は、キートップ７０において位置ズレ等が生じないよう、２つのリンク部材４０との位置を規制するために設けられている。
【００２０】
本実施の形態においては、２つのリンク部材４０、フレーム部材６０、キートップ７０は、プラスチック等の樹脂材料により形成されている。
【００２１】
図５及び図６は、本実施の形態におけるキースイッチ装置の組立て途中の状態を示す図である。具体的には、図５は、支持板１０の上に、メンブレンスイッチ２０が設置され、２つのリンク部材４０及びフレーム部材６０が設置されている状態の斜視図である。また、図６は、更に、ラバーアクチュエータ３０が設置されている状態の上面図である。尚、メンブレンスイッチ２０には、中央部分、即ち、フレーム部材６０の貫通孔６１となる位置に、スイッチとして機能する接点部２２が設けられている。
【００２２】
２つのリンク部材４０は、一方のリンク部材４０の一方の腕部４１が、他方のリンク部材４０の他方の腕部４２よりも、外側となっている状態で設置されている。この状態において、２つのリンク部材４０は、一方のリンク部材４０の一方の腕部４１の連結溝部５３に、他方のリンク部材４０の他方の腕部４２の連結軸部５４が入り込んでいる。よって、２つのリンク部材４０は、一方のリンク部材４０の一方の腕部４１と、他方のリンク部材４０の他方の腕部４２とがクロスした状態で設置されている。この状態においては、一方のリンク部材４０の一方の腕部４１の連結溝部５３内を、他方のリンク部材４０の他方の腕部４２の連結軸部５４が自由に移動することができる。尚、一方のリンク部材４０の他方の腕部４２に設けられた凹部５５は、キートップ７０が押された際に、他方のリンク部材４０の他方の腕部４２に設けられた回転軸部５１との接触を避けることができるよう形成されている。
【００２３】
２つのリンク部材４０は、上述した状態で、フレーム部材６０により支持板１０に接続されている。支持板１０には、４つの開口部１１が設けられており、支持板１０に設けられた４つの開口部１１に、メンブレンスイッチ２０の貫通孔２１を介し、フレーム部材６０に設けられた４つの突起部６２が各々入り込むことにより設置される。この際、フレーム部材６０における軸受部６３に、２つのリンク部材４０の回転軸部５１が各々入り込んでいる。これにより、２つのリンク部材４０は、各々の回転軸部５１が軸受部６３において回転可能な状態で固定される。
【００２４】
フレーム部材６０の貫通孔６１内には、ラバーアクチュエータ３０が設置されており、ラバーアクチュエータ３０及び２つのリンク部材４０の上には、キートップ７０が設置されている。キートップ７０は、２つのリンク部材４０の連結部４３の両端に設けられた摺動軸部５２が、キートップ７０の裏面に設けられた案内部７１における案内溝７２内に入り込んだ状態で設置されている。
【００２５】
次に、図７から図９に基づき本実施の形態におけるキースイッチ装置が指等により押すことによる動作について説明する。図７は、本実施の形態におけるキースイッチ装置の斜視図である。
【００２６】
図８は、本実施の形態におけるキースイッチ装置が指等により押されていない状態の断面図である。尚、図８（ａ）は、図７における一点鎖線７Ａ−７Ｂにおいて切断した断面図であり、図８（ｂ）は、図７における一点鎖線７Ｃ−７Ｄにおいて切断した断面図であり、図８（ｂ）においては、便宜上、ラバーアクチュエータ３０は省略されている。本実施の形態におけるキースイッチ装置が指等により押されていない状態においては、キートップ７０は、ラバーアクチュエータ３０により、上に持ち上げられている。この状態においては、一方のリンク部材４０の一方の腕部４１に設けられた連結溝部５３に、他方のリンク部材４０の連結軸部５４が入り込んでおり、図８（ａ）に示されるように、連結軸部５４は連結溝部５３の左側に位置している。
【００２７】
本実施の形態におけるキースイッチ装置のキートップ７０の表面を指等により押すことにより、キートップ７０は下がり、２つのリンク部材４０が動く。本実施の形態においては、この際、２つのリンク部材４０の摺動軸部５２がキートップ７０の案内溝７２内を外側方向に動き、同時に、各々のリンク部材４０における一方の腕部４１における連結溝部５３内を他方の腕部４２における連結軸部５４が移動する。
【００２８】
具体的には、図９に示されるように、各々のリンク部材４０における一方の腕部４１における連結溝部５３内を他方の腕部４２における連結軸部５４が右側に移動する。この際、各々のリンク部材４０における回転軸部５１は、フレーム部材６０に設けられた軸受部６３において回転するのみで、移動することはない。尚、図８９は、本実施の形態におけるキースイッチ装置が指等により押された状態の断面図である。図９（ａ）は、図７における一点鎖線７Ａ−７Ｂにおいて切断した断面図であり、図９（ｂ）は、図７における一点鎖線７Ｃ−７Ｄにおいて切断した断面図であり、図９（ｂ）においては、便宜上、ラバーアクチュエータ３０は省略されている。
【００２９】
このように、本実施の形態におけるキースイッチ装置においては、リンク部材４０においてギアが形成されていないため、ギア等が破損することがないため、信頼性を高めることができる。また、一方の腕部４１における連結溝部５３内を他方の腕部４２における連結軸部５４が移動するため、移動が円滑であり、キートップを押すために必要な力にバラツキが生ずることはなく、円滑にキースイッチ装置を操作することができる。
【００３０】
尚、各々のリンク部材４０のフレーム部材６０により固定されている回転軸部５１は移動することなく回転し、キートップ７０側に設けられた摺動軸部５２がキートップ７０の案内溝７２内を外側方向に移動する。このため、キートップ７０がスライドして移動することはなく、安定的にキートップ７０を押すことができる。
【００３１】
〔第２の実施の形態〕
次に、第２の実施の形態について説明する。図１０に示されるように、本実施の形態におけるキースイッチ装置は、支持板１０の上に、メンブレンスイッチ２０が設けられており、メンブレンスイッチ２０の上には、ラバーアクチュエータ３０及び２つのリンク部材１４０、フレーム部材１６０が設置されている。また、２つのリンク部材１４０の上には、キートップ１７０が設置されている。
【００３２】
支持板１０には、フレーム部材１６０と接続するための開口部１１が４つ設けられている。メンブレンスイッチ２０は、通常は開いた状態にあるが、押されることにより閉じる。メンブレンスイッチ２０には、フレーム部材１６０と支持板１０と接続するための貫通孔２１が２ヶ所に設けられている。ラバーアクチュエータ３０は、ゴム等の弾性材料により形成されており、指等によりキートップ１７０が押された後、キートップ１７０より指等が離れると、復元力により、キートップ１７０を押される前の元の位置まで戻すことができる。
【００３３】
図１１に示すように、リンク部材１４０はコの字状に形成されており、２つの腕部１４１、１４２が、連結部１４３により接続されている構造のものである。尚、図１１（ａ）、（ｂ）は、リンク部材１４０を異なる角度から見た斜視図であり、図１１（ａ）は、リンク部材１４０を一方の腕部１４１の側から見た斜視図であり、図１１（ｂ）は、リンク部材１４０を他方の腕部１４２の側から見た斜視図である。
【００３４】
一方の腕部１４１の一方の端部及び他方の腕部１４２の一方の端部には、内側に突き出た回転軸部１５１が各々設けられており、一方の腕部１４１の他方の端部と他方の腕部１４２の他方の端部は、連結部１４３により接続されている。連結部１４３の両側の端部、即ち、一方の腕部１４１及び他方の腕部１４２が接続されている部分の近傍においては、外側に突き出た摺動軸部１５２が各々設けられている。
【００３５】
また、一方の腕部１４１の中程には、長細い形状により形成されている連結溝部１５３が設けられており、他方の腕部１４２の中程には、外側に突き出た連結軸部１５４が設けられている。また、他方の腕部１４２には、一部が凹んでおり、凹部１５５が形成されている。
【００３６】
図１２に示すように、フレーム部材１６０は、中央部分に貫通孔１６１が設けられており、この貫通孔１６１に、ラバーアクチュエータ３０の一部が入り込むことができるように形成されている。また、フレーム部材１６０には、支持板１０と接続される裏面において、４隅に支持板１０に接続するための不図示の突起部が設けられている。また、フレーム部材１６０の表面には、４つの案内部１６２が設けられており、各々の案内部１６２には、キートップ１７０の表面に平行に延びる案内溝１６３が設けられている。案内溝１６３は外側に向かって開いている。また、フレーム部材１６０の表面には、表面に出っ張った突起部１６４が４ヶ所に設けられている。
【００３７】
図１３に示されるように、キートップ１７０には、指等が接触する表面とは反対の裏面に、凹状に形成された４つの軸受部１７１が設けられている。
【００３８】
本実施の形態においては、２つのリンク部材１４０、フレーム部材１６０、キートップ１７０は、プラスチック等の樹脂材料により形成されている。
【００３９】
図１４は、本実施の形態におけるキースイッチ装置の組立て途中の状態を示す図である。具体的には、図１４は、支持板１０の上に、メンブレンスイッチ２０が設置され、２つのリンク部材１４０及びフレーム部材１６０が設置されている状態の斜視図である。
【００４０】
２つのリンク部材１４０は、一方のリンク部材１４０の一方の腕部１４１が、他方のリンク部材１４０の他方の腕部１４２よりも、外側となっている状態で設置されている。この状態において、２つのリンク部材１４０は、一方のリンク部材１４０の一方の腕部１４１の連結溝部１５３に、他方のリンク部材１４０の他方の腕部１４２の連結軸部１５４が入り込んでいる。よって、２つのリンク部材１４０は、一方のリンク部材１４０の一方の腕部１４１と、一方のリンク部材１４０の他方の腕部１４２とがクロスした状態で設置されている。この状態においては、一方のリンク部材１４０の一方の腕部１４１の連結溝部１５３内を、他方のリンク部材１４０の他方の腕部１４２の連結軸部１５４が自由に移動することができる。尚、一方のリンク部材１４０の他方の腕部１４２に設けられた凹部１５５は、キートップ１７０が押された際に、他方のリンク部材１４０の他方の腕部１４２に設けられた回転軸部１５１との接触を避けることができるよう形成されている。
【００４１】
フレーム部材１６０には、２つのリンク部材１４０の連結部１４３の両端に設けられた摺動軸部１５２が、フレーム部材１６０に設けられた案内部１６２における案内溝１６３内に入り込んだ状態で設置されている。
【００４２】
また、キートップ１７０の裏面に設けられた軸受部１７１には、２つのリンク部材１４０の回転軸部１５１が各々入り込んだ状態で設置されている。これにより、２つのリンク部材１４０は、各々の回転軸部１５１が軸受部１７１において回転可能な状態で固定される。
【００４３】
２つのリンク部材１４０は、上述した状態で、フレーム部材１６０及びキートップ１７０と接続されている。
【００４４】
尚、支持板１０には、４つの開口部１１が設けられており、支持板１０に設けられた４つの開口部１１に、メンブレンスイッチ２０の貫通孔２１を介し、フレーム部材１６０に設けられた不図示の突起部が各々入り込むことにより設置されている。
【００４５】
フレーム部材１６０の貫通孔１６１内には、ラバーアクチュエータ３０が設置されており、ラバーアクチュエータ３０及び２つのリンク部材１４０の上には、キートップ１７０が設置されている。
【００４６】
次に、図１５及び図１６に基づき本実施の形態におけるキースイッチ装置が指等により押されている状態について説明する。尚、図１５は、本実施の形態におけるキースイッチ装置の斜視図である。
【００４７】
本実施の形態におけるキースイッチ装置が指等により押されていない状態においては、キートップ１７０は、ラバーアクチュエータ３０により、上に持ち上げられている。この状態は、図示はしないが、一方のリンク部材１４０の一方の腕部１４１に設けられた連結溝部１５３に、他方のリンク部材１４０の連結軸部１５４が入り込んでおり、連結軸部１５４は連結溝部１５３の一方の側に位置している。
【００４８】
本実施の形態におけるキースイッチ装置においては、キートップ１７０の表面を指等により押すことにより、図１６に示されるように、キートップ１７０は下がり、２つのリンク部材１４０が動く。これにより、２つのリンク部材１４０の摺動軸部１５２が、フレーム部材１６０の案内溝１６３内を外側方向に動く。この際、同時に、各々のリンク部材１４０における一方の腕部１４１における連結溝部１５３内を他方の腕部１４２における連結軸部１５４が移動する。
【００４９】
具体的には、各々のリンク部材１４０における一方の腕部１４１における連結溝部１５３内を他方の腕部１４２における連結軸部１５４が他方の側に移動する。この際、各々のリンク部材１４０における回転軸部１５１は、キートップ１７０に設けられた軸受部１７１において回転するのみで、移動することはない。尚、図１６（ａ）は、図１５における一点鎖線１５Ａ−１５Ｂにおいて切断した断面図であり、図１６（ｂ）は、図１５における一点鎖線１５Ｃ−１５Ｄにおいて切断した断面図である。
【００５０】
尚、上記以外の内容については、第１の実施の形態と同様である。
【００５１】
〔第３の実施の形態〕
次に、第３の実施の形態について説明する。図１７に示されるように、本実施の形態におけるキースイッチ装置は、支持板１０の上に、メンブレンスイッチ２０、ラバーアクチュエータ３０、第１のリンク部材２４０及び第２のリンク部材３４０、フレーム部材６０が設置されている。また、第１のリンク部材２４０及び第２のリンク部材３４０の上には、キートップ７０が設置されている。
【００５２】
支持板１０には、フレーム部材６０と接続するための開口部１１が４つ設けられている。メンブレンスイッチ２０は、通常は開いた状態にあるが、押されることにより閉じる。メンブレンスイッチ２０には、フレーム部材６０と支持板１０と接続するための貫通孔２１が２ヶ所に設けられている。ラバーアクチュエータ３０は、ゴム等の弾性材料により形成されており、指等によりキートップ７０が押された後、キートップ７０より指等が離れると、復元力により、キートップ７０を押される前の元の位置まで戻すことができる。
【００５３】
図１８に示すように、第１のリンク部材２４０はコの字状に形成されており、２つの腕部２４１、２４２が、連結部２４３により接続されている構造のものである。尚、図１８（ａ）、（ｂ）、（ｃ）は、第１のリンク部材２４０を異なる角度から見た斜視図であり、図１８（ａ）及び（ｂ）は、第１のリンク部材２４０を上面側から見た斜視図であり、図１８（ｃ）は、裏面側から見た斜視図である。
【００５４】
第１のリンク部材２４０において、一方の腕部２４１の一方の端部及び他方の腕部２４２の一方の端部には、内側に突き出た回転軸部２５１が各々設けられている。また、一方の腕部２４１の他方の端部と他方の腕部２４２の他方の端部は、連結部２４３により接続されている。連結部２４３の両側の端部、即ち、一方の腕部２４１及び他方の腕部２４２が接続されている部分の近傍においては、外側に突き出た摺動軸部２５２が各々設けられている。
【００５５】
また、一方の腕部２４１及び他方の腕部２４２の中程には、ともに外側に突き出た連結軸部２５４が設けられており、更には、一部が凹んでいる凹部２５５が形成されている。
【００５６】
また、図１９に示すように、第２のリンク部材３４０はコの字状に形成されており、２つの腕部３４１、３４２が、連結部３４３により接続されている構造のものである。尚、図１９（ａ）、（ｂ）、（ｃ）は、第２のリンク部材３４０を異なる角度から見た斜視図であり、図１９（ａ）及び（ｂ）は、第２のリンク部材３４０を上面側から見た斜視図であり、図１９（ｃ）は、裏面側から見た斜視図である。
【００５７】
第２のリンク部材３４０において、一方の腕部３４１の一方の端部及び他方の腕部３４２の一方の端部には、内側に突き出た回転軸部３５１が各々設けられている。また、一方の腕部３４１の他方の端部と他方の腕部３４２の他方の端部は、連結部３４３により接続されている。連結部３４３の両側の端部、即ち、一方の腕部３４１及び他方の腕部３４２が接続されている部分の近傍においては、外側に突き出た摺動軸部３５２が各々設けられている。
【００５８】
また、一方の腕部３４１及び他方の腕部３４２の中程には、ともに長細い形状により形成されている連結溝部３５３が設けられている。
【００５９】
図２０及び図２１は、本実施の形態におけるキースイッチ装置の組立て途中の状態を示す図である。具体的には、図２０は、支持板１０の上に、メンブレンスイッチ２０が設置され、第１のリンク部材２４０及び第２のリンク部材３４０、フレーム部材６０が設置されている状態の斜視図である。図２１は、上面図である。
【００６０】
第１のリンク部材２４０及び第２のリンク部材３４０は、第１のリンク部材２４０における一方の腕部２４１及び他方の腕部２４２が、第２のリンク部材３４０における一方の腕部３４１及び他方の腕部３４２の内側となっている状態で設置されている。この状態において、第２のリンク部材３４０における一方の腕部３４１及び他方の腕部３４２の連結溝部３５３に、第１のリンク部材２４０における一方の腕部２４１及び他方の腕部２４２の連結軸部５４が入り込んでいる。
【００６１】
よって、第１のリンク部材２４０の一方の腕部２４１と、第２のリンク部材３４０の他方の腕部３４２とがクロスし、第１のリンク部材２４０の他方の腕部２４２と、第２のリンク部材３４０の一方の腕部３４１とがクロスした状態で設置されている。この状態においては、第２のリンク部材３４０における一方の腕部３４１及び他方の腕部３４２の連結溝部３５３内を、第１のリンク部材２４０における一方の腕部２４１及び他方の腕部２４２の連結軸部２５４が自由に移動することができる。
【００６２】
尚、第１のリンク部材２４０における一方の腕部２４１に設けられた凹部２５５は、キートップ７０が押された際に、第２のリンク部材３４０における他方の腕部３４２に設けられた回転軸部３５１と接触しないようにするため形成されている。同様に、第１のリンク部材２４０における他方の腕部２４２に設けられた凹部２５５は、キートップ７０が押された際に、第２のリンク部材３４０における一方の腕部３４１に設けられた回転軸部３５１と接触しないようにするため形成されている。
【００６３】
第１のリンク部材２４０及び第２のリンク部材３４０は、上述した状態で、フレーム部材６０により支持板１０に接続されている。支持板１０には、４つの開口部１１が設けられており、支持板１０に設けられた４つの開口部１１に、メンブレンスイッチ２０の貫通孔２１を介し、フレーム部材６０に設けられた４つの突起部６２が各々入り込むことにより設置されている。この際、フレーム部材６０における軸受部６３に、第１のリンク部材２４０及び第２のリンク部材３４０の回転軸部２５１及び３５１が各々入り込んだ状態で設置されている。これにより、第１のリンク部材２４０及び第２のリンク部材３４０は、各々の回転軸部２５１及び３５１が軸受部６３において回転可能な状態で固定される。
【００６４】
尚、第１のリンク部材２４０の連結部２４３の両端に設けられた摺動軸部２５２及び第２のリンク部材３４０の連結部３４３の両端に設けられた摺動軸部３５２が、キートップ７０の裏面に設けられた案内部７１の案内溝７２内に入り込んでいる。
【００６５】
尚、上記以外の内容については、第１の実施の形態と同様である。また、本実施の形態は、第２の実施の形態にも対応することが可能である。
【００６６】
以上、本発明の実施に係る形態について説明したが、上記内容は、発明の内容を限定するものではない。
【符号の説明】
【００６７】
１０        支持板
１１        開口部
２０        メンブレンスイッチ
２１        貫通孔
２２        接点部
３０        ラバーアクチュエータ
４０        リンク部材
４１        一方の腕部
４２        他方の腕部
４３        連結部
５１        回転軸部
５２        摺動軸部
５３        連結溝部
５４        連結軸部
５５        凹部
６０        フレーム部材
６１        貫通孔
６２        突起部
６３        軸受部
７０        キートップ
７１        案内部
７２        案内溝
７３        突起部
【図１】
2015079676.tif 000003
【図２】
2015079676.tif 000004
【図３】
2015079676.tif 000005
【図４】
2015079676.tif 000006
【図５】
2015079676.tif 000007
【図６】
2015079676.tif 000008
【図７】
2015079676.tif 000009
【図８】
2015079676.tif 000010
【図９】
2015079676.tif 000011
【図１０】
2015079676.tif 000012
【図１１】
2015079676.tif 000013
【図１２】
2015079676.tif 000014
【図１３】
2015079676.tif 000015
【図１４】
2015079676.tif 000016
【図１５】
2015079676.tif 000017
【図１６】
2015079676.tif 000018
【図１７】
2015079676.tif 000019
【図１８】
2015079676.tif 000020
【図１９】
2015079676.tif 000021
【図２０】
2015079676.tif 000022
【図２１】
2015079676.tif 000023